(57)【要約】【課題】構造が簡単で且つ安価な棟換気用部材を提供する。【解決手段】上面部材Ｘ３と下面部材Ｙ４とを、適宜間隔を置いて配置された接続部材Ｚ５で連結してなり、隣接する接続部材Ｚ５と接続部材Ｚ５との間に形成される空間部を換気路としたことを特徴とする棟換気用部材である。【選択図】        図１
2004257050.tif 000002
【特許請求の範囲】
【請求項１】
上面部材Ｘと下面部材Ｙとを、適宜間隔を置いて配置された接続部材Ｚで連結してなり、隣接する接続部材Ｚと接続部材Ｚとの間に形成される空間部を換気路としたことを特徴とする棟換気用部材。
【請求項２】
下面部材Ｙに折り返し部を延設した請求項１記載の棟換気用部材。
【請求項３】
上面部材Ｘの表面の長手方向にレベル調整材用堰止部を突設した請求項１又は２記載の棟換気用部材。
【請求項４】
上面部材Ｘの長手方向の一端部に風雨制御板を延設した請求項１、２又は３記載の棟換気用部材。
【請求項５】
下面部材Ｙの長手方向の一端部に風雨制御板を延設した請求項１〜４のいずれか１項に記載の棟換気用部材。
【請求項６】
棟木固定具との係合部を設けた請求項１〜５のいずれか１項に記載の棟換気用部材。
【請求項７】
下面部材Ｙの裏面にクッション材を設けた請求項１〜６のいずれか１項に記載の棟換気用部材。
【請求項８】
アルミ又は樹脂を押出成形してなる請求項１〜７のいずれか１項に記載の棟換気用部材。
【請求項９】
請求項１〜８のいずれか１項に記載の棟換気用部材を、棟瓦と地瓦との間に配設したことを特徴とする棟換気構造。
【請求項１０】
上面部材Ｘの表面にレベル調整材を充填した請求項９記載の棟換気構造。
【発明の詳細な説明】
【０００１】
【発明の属する技術分野】
本発明は、一般住宅をはじめとする建物屋根の棟部に設けられ、棟瓦と地瓦との隙間から換気する棟換気用部材及びこれを用いた棟換気構造に関する。
【０００２】
【従来の技術】
従来より、棟瓦と地瓦との隙間から換気する棟換気装置としては様々の形態が提案されているが、特に屋根の棟部に設けられた換気装置の代表例として特許文献１に記載されたものが知られている。
【０００３】
該文献によれば、図１６に示したように、垂木や野地板などからなり両流れ屋根面を形成する屋根地３３の頂部には隙間が設けられ、この隙間は、屋根裏に滞留する熱気や臭気が自然上昇力によって上昇し最初に集合して通過する屋根換気通路３４となる。そして屋根換気通路３４を跨ぐように立設させた第１換気口３５を有する補助部材３６が設けられ、さらに、この補助部材３６の外側には隙間を設けて立設すると共に、第２換気口３７が穿設され、且つ中央に棟木３８を支持する棟木支持部材３９が設けられ、これら補助部材３６及び棟木支持部材３９は屋根地３３に釘等（図示せず）によって固定される。
【０００４】
一方、屋根地３３の頂部付近には桟木４０を固定した後、この桟木４０に沿って桟瓦４１が掛止される。さらに、この桟瓦４１のうえには密封部材４２を介して第３換気口４３及び第４換気口４４を有する通気形成部材４５が釘等（図示せず）によって棟木３８に固定される。そして、この通路形成部材４５の上に棟瓦４６が載置され、長寸釘、ビス等の固定具４７によって棟木３８に固定され、更に、この棟瓦４６の裏面と通路形成部材４５との間に換気通路４８が形成される。
【０００５】
かかる構成によって、屋根地の頂部に向かって下から上昇してくる空気は矢印Ｋで示したように屋根換気通路３４を通過した後、第１、第２換気口３５、３７をジグザグに通過し、さらに換気通路４８の第３、第４換気口４３、４４を通過して排出される（気流の流れを実線矢印で示す）。
【０００６】
【特許文献１】
特許２９０１１８０号公報（図１）
【０００７】
【発明が解決しようとする課題】
しかしながら、上記従来の換気棟装置においては、通常は下から屋根地の頂部に向かって上昇する熱気・湿気・臭気等を伴う汚染空気は、屋根換気通路３４を通過し、続いて第１、第２換気口３５、３７をジグザグに通過し、最後に上面が棟瓦４６で形成される換気通路４８の第３、第４換気口４３、４４を通過して棟瓦４６の先端部から自然上昇力によって排出されるものであるが、例えば、台風時のように異常に風雨が強いようなときには桟瓦４１と棟瓦４６の瓦先端部４９とで形成される隙間から逆流する場合がある。
【０００８】
また、換気通路４８の上面を形成する棟瓦４６は、大抵の場合、裏面の先端部付近はゆう薬が施されているが、それよりも内側はゆう薬は施されず素地のままの状態である場合が普通で、したがって、通常時の換気のときは良いとしても、台風時のように異常に風雨が強いときには、外から侵入してくる雨水が棟瓦４６の素地状態の裏面に接触し濡らすことになる。したがって、これら雨水によって棟瓦４６の裏側が湿潤状態となり、材料を腐食させ耐久性が損なわれるという問題がある。また、棟瓦４６を葺く施工時において、一般に、換気通路４８の下面を形成する通路形成部材４５と棟瓦４６との間に棟瓦４６のレベル調整用の葺土を敷設するが、この葺土により換気通路４８が狭められ適切な換気量が確保出来ないという問題があった。
【０００９】
更にまた、換気通路４８を形成するもう一方の側面は、鋼板等を板金加工して形成した通路形成部材４５であり、この部材の完成には、孔明け加工、曲げ加工、切断加工を伴いコスト高になるという問題があった。
【００１０】
本発明は、上記諸課題に鑑み、裏面が素焼き状態の棟瓦を利用しても棟換気構造としての耐久性を確保すると共に、そのコスト低減を図ることを主目的する。
【００１１】
【課題を解決するための手段】
上記目的を達成するために、本発明の第１は、上面部材Ｘと下面部材Ｙとを、適宜間隔を置いて配置された接続部材Ｚで連結してなり、隣接する接続部材Ｚと接続部材Ｚとの間に形成される空間部を換気路としたことを特徴とする棟換気用部材を内容とする（請求項１）。
【００１２】
好ましい態様としての請求項２は、下面部材Ｙに折り返し部を延設した請求項１記載の棟換気用部材である。
【００１３】
好ましい態様としての請求項３は、上面部材Ｘの表面の長手方向にレベル調整材用堰を突設した請求項１又は２記載の棟換気用部材である。
【００１４】
好ましい態様としての請求項４は、上面部材Ｘの長手方向の一端部に風雨制御板を延設した請求項１、２又は３記載の棟換気用部材である。
【００１５】
好ましい態様としての請求項５は、下面部材Ｙの長手方向の一端部に風雨制御板を延設した請求項１〜４のいずれか１項に記載の棟換気用部材である。
【００１６】
好ましい態様としての請求項６は、棟木固定具との係合部を設けた請求項１〜５のいずれか１項に記載の棟換気用部材である。
【００１７】
好ましい態様としての請求項７は、下面部材Ｙの裏面にクッション材を設けた請求項１〜６のいずれか１項に記載の棟換気用部材である。
【００１８】
好ましい態様としての請求項８は、アルミ又は樹脂を押出成形してなる請求項１〜７のいずれか１項に記載の棟換気用部材である。
【００１９】
また、本発明の第２は、請求項１〜８のいずれか１項に記載の棟換気用部材を、棟瓦と地瓦との間に配設したことを特徴とする棟換気構造を内容とする（請求項９）。
【００２０】
好ましい態様としての請求項１０は、上面部材Ｘの表面にレベル調整材を充填した請求項９記載の棟換気構造である。
【００２１】
【作用】
本発明の棟換気構造は、上下方向に適宜間隔を置いて配置された上面部材Ｘと下面部材Ｙとを、水平方向に適宜隙間を置いて順次接続部材Ｚを並設・連結し、隣接する接続部材Ｚと接続部材Ｚとの間に形成される空間部を換気路としたことにより、別に穿設加工を施すことなく容易に棟換気用部材を形成できる。また、接続部材Ｚの間隔を調節することにより、所望の換気路を形成することが可能である。
【００２２】
また、下面部材Ｙに折り返し部を延設することにより、上面部材Ｘと下面部材Ｙと接続部材Ｚとの固定をビスによって簡単に固着自在にできると共に、外部からの雨風の侵入を阻止する遮蔽板の役割を果たすものである。
【００２３】
また、上面部材Ｘの表面の長手方向にレベル調整材用堰止部を突設することにより、ここに葺土（漆喰、モルタル、粘土等）を置いて棟瓦のレベルを調整する際、葺土が置き易く好都合である。
【００２４】
また、上面部材Ｘや下面部材Ｙの長手方向の一端部に風雨制御板を延設することにより、外からの風雨の流入が抑制される。
【００２５】
更に、棟換気用部材、とりわけ上面部材Ｘの端縁部に棟木固定具との係合部を設けることにより、換気通路の上面壁として遮蔽する機能を有すると共に、棟換気用部材を配設する際、あるいは葺土等を置きながら棟瓦（地瓦）を葺く際に、該係合部を支点にして該棟換気用部材の傾きが自在に調節され、棟換気構造として異常応力等は発生することがなく且つ施工性に優れる。また、施工後に、地震等により負荷が加わった場合においても応力均衡作用が働き、棟換気部材及び棟換気構造の耐久性が向上する。
【００２６】
【発明の実施の形態】
以下、本発明の棟換気用部材及びこれを用いた棟換気構造の実施例を図面に基づいて説明するが、本発明はこれらにより何等限定されるものではない。
【００２７】
実施例１
本発明の実施例１における棟換気構造１は、図１、図２に示すように、断面視が平板状で、且つその下面から延設されたＬ字状及び逆Ｌ字状の嵌着体２を有する長尺の上面部材Ｘ３及び下面部材Ｙ４を、それぞれの嵌着体２同士を対向させて配置し、平面視エ字状で幅Ｗの接続部材Ｚ５によって有機的に連結形成した形態であって、上面部材Ｘ３と下面部材Ｙ４のそれぞれの嵌着体２に、接続部材Ｚ５をピッチＰの間隔を置いて複数個配置して固定される。そして、これら上面部材Ｘ３、下面部材Ｙ４及び左右の嵌着体２によって形成される空間部を換気路６としている。なお、実際の施工においては、長手方向の左右両端のそれぞれには平板（図示せず）で遮蔽して換気通路として完成させる。
上面部材Ｘ３、下面部材Ｙ４及び接続部材Ｚ５のサイズは特に制限はないが、例えば幅４０〜１００ｍｍ、長さ３００〜２０００ｍｍ程度のものが取り扱い性や施工性の点から好ましい。また、接続部材Ｚ５の幅Ｗは３０〜５０ｍｍ、高さは５〜２０ｍｍ程度から選べばよい。
【００２８】
また、接続部材Ｚを配設する際の間隔ピッチＰも特に制限はないが、例えば、１００〜５００ｍｍ程度から選択することができる。また、図１では上面部材Ｘ３の方が下面部材Ｙ４よりも大きく描かれているが同寸法であっても良く、これらの各寸法は棟換気構造の施工仕様に対応して決められる。
【００２９】
このように、上面部材Ｘ３、下面部材Ｙ４、接続部材Ｚ５からなる棟換気用部材１は、これまでのように各部材に換気口を穿設加工して形成する必要がなく、したがって、これら上面部材Ｘ３、下面部材Ｙ４、接続部材Ｚ５はアルミや樹脂の押出成形加工が可能であり、これによって大幅なコストダウンが図られる。また、上面部材Ｘ３、下面部材Ｙ４には剛性を増大する方向に作用するＬ字状の嵌着体２が形成されたうえ、これら２部材を剛性に優れたエ字状の接続部材Ｚ５により嵌着体２を介して連結しているので、十分な構造強度が確保される。
【００３０】
なお、上面部材Ｘ３、下面部材Ｙ４、接続部材Ｚ５は、通常、嵌着体２におけるカシメ加工、ビス、溶接、溶着、接着剤などにより接合されるが、煩雑さを避けるため、原則として図示しない。以下においても同様である。
【００３１】
実施例２
実施例２の棟換気用部材１は、図３に示すように、上面部材Ｘ３はその両端部から嵌着体３を設けている他は、実施例１に示した棟換気用部材と同様である。このように、嵌着体２を両端に設けることにより、上面部材Ｘ３はその全幅に亘って接続部材Ｚとの２層構造となるので剛性強度は一層強化され、棟瓦のレベルを調整するために葺土を置いたり、また棟瓦の負荷が直接掛かってもその荷重に充分耐えられるというメリットがある。
【００３２】
実施例３
実施例３の棟換気用部材１は、図４に示すように、上面部材Ｘ３は前述の実施例２と同様であり、下面部材Ｙ４は、この一側端から垂設する垂設部７、その先端からさらに中心方向に水平に延設した水平部８、この水平部８の途中から下方に垂設した垂下部９からなる折り返し部１０を形成し、一方、接続部材Ｚ５には、前記下面部材Ｙ４の水平部８の先端部と嵌合する接続凹部１１と、垂設部７と垂下部９とで形成される接続凹部１２に嵌合する接続凸部１３とが形成され、長尺物である上面部材Ｘ３と下面部材Ｙ４、及び幅Ｗの接続部材Ｚ５とは、ビス１４によって一体的に固定される形態である。
【００３３】
このような形態によれば、前記の実施例と同様、棟換気用部材としての機能が十分に発揮されると共に、上面部材Ｘ３と下面部材Ｙ４と接続部材Ｚ５の３者を一般に簡易な固定手段として用いられるビス１４を用いて下面部材Ｙ４（下層の）の裏側に突出させることなく一体化することが可能となり、また、剛性・強度がさらにアップするので、上面部材Ｘ３上に葺土や漆喰を置いた場合や、重い棟瓦の荷重に充分耐えられる。さらにまた、折り返し部１０の水平部８が形成されたことによって、外部からの雨風の侵入を阻止する遮蔽板として機能する。
【００３４】
実施例４
実施例４の棟換気用部材１は、図５に示すように、上面部材Ｘ３の表面の長手方向に沿ってレベル調整材用堰止部１５を突設した他は、実施例３に示した棟換気用部材１と同様である。該レベル調整材用堰止部１５を設けたことによって、上面部材Ｘ３に葺土を載置した後、棟瓦が配置されることにより葺土が押しつぶされても、これらの堰止部によって横ずれが防止され、不用意に側面から落下することが防止されるという効果がある。なお、図５ではレベル調整材用堰止部１５を３条設けているがこの条数に限定されるものではなく、必要に応じてその寸法や設ける位置を含め適宜定められる。また、突起を多数設けてもよい。
【００３５】
実施例５
実施例５の棟換気用部材１は、図６に示すように、上面部材Ｘ３の長手方向の一端部に上側風雨制御板１６を延設した他は、実施例３に示した棟換気用部材１と同様である。そして、棟換気用部材１が載置される棟換気構造の形態や大きさ寸法に対応させて、この上側風雨制御板１６の延設長さや延設方向・角度あるいは先端の折曲げ代等を適宜変更することが可能である。
【００３６】
実施例６
実施例６の棟換気用部材１は、図７に示すように、下面部材Ｙ４の長手方向の一端部に下側風雨制御板１７を延設した他は、実施例３に示した棟換気用部材１と同様である。そして、本実施例の形態においても、実施例５と同様、棟換気用部材１が載置される棟換気構造の形態や大きさ寸法に対応させて、この下側風雨制御板１７の延設長さや延設方向・角度等を適宜変更することが可能である。
【００３７】
実施例７
実施例７の棟換気用部材１は、図８に示すように、上述の実施例５と６における上側風雨制御板１６及び下側風雨制御板１７を共に備えた構成の形態であり、即ち、上面部材Ｘ３の長手方向の一端部に上側風雨制御板１６を延設すると共に下面部材Ｙ４の長手方向の一端部に下側風雨制御板１７を延設した他は、実施例３に示した棟換気用部材１と同様である。そして、棟換気用部材１が載置される棟換気構造の形態や大きさ寸法に対応させて、この上側風雨制御板１６及び下側風雨制御板１７の延設長さや延設方向・角度等を適宜変更することが可能であり、これによって、内側から外側への換気流の流れがスムーズに行われるようになると共に、逆に外側から内側へは風雨が逆流しないように制御することが一層容易になる。
【００３８】
実施例８
実施例８の棟換気用部材１は、図９に示すように、棟木固定具（図１２参照）と係合され一種の自在継手の一方を構成する係合部１８を設けた他は、実施例３に示した棟換気用部材１と同様である。その詳細については後述の実施例１１で説明するが、該係合部１８は略半円形状の凹部を形成してなり、これに係合する他方の棟木固定具の方には略半円形状の凸部が形成してなるもので、相互に係合することによって一種の遮蔽壁を形成すると共に、施工時における棟換気用部材１の位置変動を吸収するように作用する。
【００３９】
実施例９
実施例９の棟換気用部材１は、図１０に示すように、実施例５及び８で説明した上側風雨制御板１６及び棟木固定具との係合部１８を備えた他は、実施例３に示した棟換気用部材と同様であり、従って、その作用効果も前述のそれぞれの効果の全てを備えている。
【００４０】
実施例１０
実施例１０の棟換気用部材は、図１１に示すように、実施例４、５及び８で説明したレベル調整材用堰止部１５、上側風雨制御板１６及び棟木固定具との係合部１８を有する形態の棟換気用部材の下面部材Ｙ４の裏面及び上面部材Ｘ３の上面とにそれぞれ下面クッション材１９及び上面クッション材２０（変形前の様子を二点破線で示す）を設けたものであり、かかる両クッション材を設けたことにより、棟瓦を葺く際の位置の調整、気密構造とすることにより雨風の侵入防止を図るとともに施工性を一層容易なものにしている。
本例では、下面クッション材１９と上面クッション材２０の両方設けたが、必要に応じ、上面クッション材２０を省略してもよい。
【００４１】
実施例１１
実施例１１の棟換気用部材は、図１２に示すように、係合部１８の向きが下向きになっている他は実質的に実施例１０に示した棟換気用部材と同様である。
【００４２】
以上の実施例において、上面部材Ｘ３、下面部材Ｙ４などは、アルミ又は樹脂の押出成形が好適で、コスト的にも有利である。また、レベル調整材用堰止部１５、上側、下側風雨制御板１６、１７及び棟木固定具との係合部１８などは上面部材Ｘ３、下面部材Ｙ４又は接続部材Ｚ５と一体的に加工することも、また、これらに溶接、溶着、接着剤等によって後付けすることも可能である。
また、レベル調整用堰止部、上側・下側風雨制御板、棟木固定具との係合具は、図１、図２に示した棟換気用部材にも取り付けられることは云うまでもない。
【００４３】
以上の如き本発明の棟換気用部材は、棟瓦と地瓦との隙間から換気する方式の棟換気構造に好適に用いられる。
以下、実施例１１に示した棟換気用部材を用いその代表的な棟換気構造の実施例について説明する。
【００４４】
実施例１２
図１３に示すように、垂木や野地板などからなり両流れ屋根面を形成する屋根地２１の頂部には隙間が設けられ、この隙間は、屋根裏に滞留する汚染空気が上昇し最初に集合して通過する屋根換気通路２２となる。そして屋根換気通路２２を跨ぐように立設させた換気口２３を有する換気装置２４が設けられ、屋根地２１に釘等（図示せず）によって固定される。
【００４５】
更に、略Ｕ字状に形成されその両側から突設した断面視円形状の凸係合部２５を形成すると共に、棟木２６を支持する棟木固定具２７が設けられ、該棟木固定具２７と換気装置２５とは一体的に着設される。
【００４６】
一方、屋根地２１の頂部付近に桟木２８を固定した後、この桟木２８に沿って地瓦２９が掛止される。また、この地瓦２９の上端縁に、前述の実施例１１で説明した下面クッション材１９を介して配設した後、棟換気用部材１に設けられた係合部１８を棟木固定具２７の凸係合部２５に係合させる。
【００４７】
続いて、棟木固定具２７に棟木２６を嵌入してビス等の固定手段（図示せず）によって固定する。更に、上面部材Ｘ３に上面クッション２０を介して棟瓦３０を葺設し、瓦の焼成工程時などに生じる捻れや寸法のバラツキによる位置や傾き等の狂いを調整したうえ、該棟瓦３０を棟木２６にビス、釘等の固定手段（図示せず）によって固定する。
【００４８】
本実施例の構成によれば、とりわけ、棟換気用部材１に係合部１８を備え、該係合部１８が棟木固定具２７に設けた凸係合部２５と係合すると共に、棟換気用部材１の上面部材Ｘ３、下面部材Ｙ４に、それぞれのクッション材１９、２０を付設したことによって、棟瓦３０の位置づれや傾き等の姿勢は、棟換気用部材１が係合部を支点にして所定範囲内で回動することにより容易に行うことができる。また、施工中に生起する不用な応力等は、係合部１８の回動作用とクッション材により完全に吸収されるので棟換気用部材１、棟瓦３０、地瓦２９等には無理な力が掛からずに施工できるという効果がある。
【００４９】
また、屋根地２１の頂部に向かって下から上昇してくる汚染空気は矢印Ｋで示したように屋根換気通路２２を通過した後、換気口２３を通過し、さらに換気路６を通過し、最後に棟換気用部材１の上側風雨制御板１６の先端と地瓦２９とで形成される排出口３１から外へ排出される（気流の流れを実線矢印で示す）。
一方、横方向から風雨が排出口３１から侵入しても、棟換気用部材１に備えられた各制御板（上側制御板１６、下面部材の折り返し部）及び棟木固定具２７及びその下部の換気装置２４に阻止され、屋根地２１の頂部には到達することがない。
【００５０】
更に、使用される棟瓦３０が、裏面にゆう薬の施されていない素地状態の棟瓦であっても、棟換気用部材１と該棟換気用部材１と係合連結された棟木固定具２７等によって遮蔽されているので、棟瓦３０の裏面に雨水が接するようなことはなく、従って、湿潤状態となったり、材料を腐食させることはなく、棟瓦３０の耐久信頼性は一段と向上する。
【００５１】
なお、上側風雨制御板１６の先端と下面部材Ｙ４の端縁部との間の換気路６に通気性を有する部材（図示せず）を介在させれば、鳥、昆虫等の侵入・営巣を容易に防ぐことも可能である。
【００５２】
実施例１３
図１４に示したように、前述の実施例１２における上面部材Ｘ３に上面クッション２０を敷設した替わりに、レベル調整材として葺土３２を山形状の塊にして充填した点、並びに略Ｕ字状に形成された棟木固定具２７の両側から突設し断面視円形状の凸係合部２５の向き、及びこの凸係合部２５と係合する棟換気用部材１の係合部１８の向きがともに逆になっている他は実施例１１と同じである。
【００５３】
また、本実施例のように、葺土３２を利用した場合には、それが保有する粘性、密着性、気密性等により、棟瓦３０の位置や傾き等の調整が一層確実に、且つ安定的に施工できるというメリットの他、経年変化が無く耐久性に優れるという特徴がある。
【００５４】
実施例１４
図１５に示すように、従来の技術の説明で使用した図１６の構成と同様の換気装置２４、即ち、屋根換気通路３４を跨ぐように立設させた第１換気口３５を有する補助部材３６と、この補助部材３６の外側に隙間を設けて立設すると共に、第２換気口３７が穿設され、且つ中央に棟木３８を支持する棟木支持部材３９とからなる換気装置２４に、前述の実施例１２と同じ凸係合部２５を設けた形態を示したものである。
このように、屋根地２１の頂部に設けられる従来タイプの換気装置２４でも、凸係合部２５を装着するように改良すれば、前述の実施例１２、１３で説明した場合と同様の棟換気構造が形成される。
【００５５】
以上の実施例１３、１４においては、通常の棟瓦について示したが、のし瓦等の特殊な瓦についても適用できることは勿論である。
【００５６】
【発明の効果】
叙上のように、本発明の棟換気用部材及びこれを用いた棟換気構造は、下記の如き多くの特徴及び利点を有する。
【００５７】
本発明の棟換気用部材は、上下方向に適宜間隔を置いて配置された上面部材Ｘと下面部材Ｙとを、水平方向に接続部材Ｚを並設して連結したことにより、機械的強度に優れると共に、隣接する接続部材Ｚと接続部材Ｚとの間に空間部を形成してこれを換気路としたことにより、穿設加工等を施すことなく容易且つ安価に棟換気用部材を形成できる。また、接続部材Ｚの間隙を調節することにより、所望の換気路を形成することができる。
【００５８】
また、下面部材Ｙに折り返し部を延設することにより、上面部材Ｘ、下面部材Ｙ及び接続部材Ｚの固定をビスによっても簡単に固着自在にできると共に、下面部材Ｙの折り返し部が、外部より侵入してきた風雨を遮蔽する効果がある。
【００５９】
また、上面部材Ｘの表面の長手方向にレベル調整材用堰止部を突設することにより、瓦の姿勢を制御する際の葺土を置き易く且つ横ずれしないので好都合である。
【００６０】
また、上面部材Ｘや下面部材Ｙの長手方向の一端部に風雨制御板を延設することにより、外から侵入しようとする風雨の逆流現象を一層効果的に防止することができる。
【００６１】
更に、棟換気用部材を形成する上面部材Ｘの端部に棟木固定具との係合部を設けることにより、換気通路の上面壁を形成すると共に、棟換気用部材を配設する際には、該係合部を支点に、棟換気用部材が回動して棟換気構造全体にわたって応力を均衡させる働きがあり、作業性が大巾に向上する。また、地震等により負荷が加わった場合においても、同様に応力均衡作用が働き、耐久性が向上する。
【図面の簡単な説明】
【図１】本発明の実施例１における棟換気用部材の基本構成を示す断面図である。
【図２】図１の棟換気用部材のＡ−Ａ断面図である。
【図３】実施例２における棟換気用部材の第２の基本構成を示す断面図である。
【図４】実施例３における棟換気用部材の第３の基本構成を示す断面図である。
【図５】実施例４における棟換気用部材の構成を示す断面図である。
【図６】実施例５における棟換気用部材の構成を示す断面図である。
【図７】実施例６における棟換気用部材の構成を示す断面図である。
【図８】実施例７における棟換気用部材の構成を示す断面図である。
【図９】実施例８における棟換気用部材の構成を示す断面図である。
【図１０】実施例９における棟換気用部材の構成を示す断面図である。
【図１１】実施例１０における棟換気用部材の構成を示す断面図である。
【図１２】実施例１１における棟換気用部材の構成を示す断面図である。
【図１３】本発明の実施例１２における棟換気構造を示す断面図である。
【図１４】実施例１３における棟換気構造を示す断面図である。
【図１５】実施例１４における棟換気構造の特定部分を説明する断面図である。
【図１６】従来の棟換気構造を示す断面図である。
【符号の説明】
１  棟換気用部材
２  嵌着体
３  上面部材Ｘ
４  下面部材Ｙ
５  接続部材
６  換気路
７  垂設部
８  水平部
９  垂下部
１０  折り返し部
１１  接続凹部
１２  接続凹部
１３  接続凸部
１４  ビス
１５  レベル調整材用堰止部
１６  上側風雨制御板
１７  下側風雨制御板
１８  係合部
１９  下面クッション材
２０  上面クッション材
２１  屋根地
２２  屋根換気通路
２３  換気口
２４  換気装置
２５  凸係合部
２６  棟木
２７  棟木固定具
２８  桟木
２９  地瓦
３０  棟瓦
３１  排出口
３２  葺土
【図１】
2004257050.tif 000003
【図２】
2004257050.tif 000004
【図３】
2004257050.tif 000005
【図４】
2004257050.tif 000006
【図５】
2004257050.tif 000007
【図６】
2004257050.tif 000008
【図７】
2004257050.tif 000009
【図８】
2004257050.tif 000010
【図９】
2004257050.tif 000011
【図１０】
2004257050.tif 000012
【図１１】
2004257050.tif 000013
【図１２】
2004257050.tif 000014
【図１３】
2004257050.tif 000015
【図１４】
2004257050.tif 000016
【図１５】
2004257050.tif 000017
【図１６】
2004257050.tif 000018